(57)【要約】      （修正有）【課題】高所に据え付けられた蛍光灯の交換作業が安全に簡単に行なえ、作業者の負担を軽減できる直管型蛍光灯の交換器具を提供する。【解決手段】床面に対して立位状態に支持可能な支持脚１０と、この支持脚に傾倒可能に支持された伸縮可能な支柱１１と、この支柱の先端部に設けられ、蛍光灯７を把持および解放可能な把持機構１２とからなり、把持機構は、蛍光灯のガラス管を弾性的に把持する円弧状のチャックを有し、このチャックの内周部には該チャックによって把持したとき蛍光灯のガラス管の外周面と接合する接合部材を有し、把持機構によってガラス管を把持した状態で、支柱を傾倒させて蛍光灯を、その軸方向の一方に移動させ、他方の前記口金ピン５をソケット４から離間させて器具本体から蛍光灯を取り外すことを特徴とする。【選択図】図１
0003150848.tif 000002
【実用新案登録請求の範囲】
【請求項１】
器具本体に設けられた一対のソケットに両端部の口金に設けられた口金ピンが接続された蛍光灯を、その軸方向の一方に移動させ、他方の前記口金ピンを前記ソケットから離間させて前記器具本体から蛍光灯を取り外すタイプの直管型蛍光灯の交換器具において、
床面に対して立位状態に支持可能な支持脚と、この支持脚に傾倒可能に支持された伸縮可能な支柱と、この支柱の先端部に設けられ、前記蛍光灯を把持および解放可能な把持機構とからなり、
前記把持機構は、蛍光灯のガラス管を弾性的に把持する円弧状のチャックを有し、このチャックの内周部には該チャックによって把持したとき前記蛍光灯のガラス管の外周面と接合する接合部材を有し、
前記把持機構によって前記蛍光灯のガラス管を把持した状態で、前記支柱を傾倒させて蛍光灯を、その軸方向の一方に移動させ、他方の前記口金ピンを前記ソケットから離間させて前記器具本体から蛍光灯を取り外すことを特徴とする直管型蛍光灯の交換器具。
【請求項２】
器具本体に設けられた一対のソケットに両端部の口金に設けられた口金ピンが接続された蛍光灯を、その周方向に回すことにより、前記器具本体から蛍光灯を取り外すタイプの直管型蛍光灯の交換器具において、
床面に対して立位状態に支持可能な支持脚と、この支持脚に支持された伸縮可能な支柱と、この支柱の先端部に設けられ、前記蛍光灯を把持および解放可能な把持機構とからなり、
前記把持機構は、蛍光灯のガラス管を弾性的に把持する円弧状のチャックを有し、このチャックの内周部には該チャックによって把持したとき前記蛍光灯のガラス管の外周面と接合する接合部材を有し、
前記把持機構によって前記蛍光灯のガラス管を把持した状態で、前記把持機構を蛍光灯の周方向に回して前記口金ピンを前記ソケットから抜いて前記器具本体から蛍光灯を取り外すことを特徴とする直管型蛍光灯の交換器具。
【請求項３】
前記支持脚は、前記支柱を支持する支持部材と、この支持部材に上端部が着脱可能に接続される複数本の支持ポールとからなり、分解可能であることを特徴とする請求項１または２に記載の直管型蛍光灯の交換器具。
【請求項４】
前記把持機構は、板バネからなる上部開口のＵ字状のチャックであり、開口を前記蛍光灯のガラス管にあてがい、前記チャックを押し上げることにより、ガラス管を弾性的に把持し、引き下げることにより、ガラス管から解放されることを特徴とする請求項１または２に記載の直管型蛍光灯の交換器具。
【考案の詳細な説明】
【技術分野】
【０００１】
本考案は、天井等の比較的高所に据付けられた直管型蛍光灯の交換器具に関する。
【背景技術】
【０００２】
天井等の比較的高所（約２０００〜３０００ｍｍ）に据付けられた直管型蛍光灯を交換する作業は、脚立を用いて手作業によって行なわれている。しかし、脚立は不安定であり、作業者がバランスを崩して脚立が倒れて転倒事故を起こしたり、蛍光灯を落下させて破損させることも少なくない。
【０００３】
そこで、このような事故を未然に防ぐために、高所に据え付けられた蛍光灯であっても脚立を用いることなく安全に蛍光灯を交換できる蛍光灯交換具が開発された（例えば、特許文献１および２参照）。
【０００４】
一般に、直管型蛍光灯器具は、器具本体に一対のソケットが設けられている。蛍光灯の両端部には一対の口金ピンを有する口金が設けられ、蛍光灯の両端部の口金ピンがソケットに接続される。そして、蛍光灯を交換する際には、蛍光灯のガラス管を把持して、その軸方向の一方に移動させ、他方の口金ピンをソケットから離間させて器具本体から蛍光灯を取り外している。
【０００５】
ところで、特許文献１および２の蛍光灯交換具は、棒状の柄部材の先端部に蛍光灯のガラス管を把持する蛍光灯把持部が設けられ、作業者が柄部材を持って交換しようとする蛍光灯のガラス管に蛍光灯把持部を押し当て、柄部材によって蛍光灯把持部を押し上げることにより、ガラス管を把持する。次に、蛍光灯把持部をガラス管の軸方向の一方に移動させ、他方の口金ピンをソケットから離間させて器具本体から蛍光灯を取り外すようになっている。
【先行技術文献】
【特許文献】
【０００６】
【特許文献１】特開平９−５７６４４号公報
【特許文献２】特開２００７−７３２１０号公報
【考案の概要】
【考案が解決しようとする課題】
【０００７】
しかしながら、特許文献１および２は、いずれも棒状の柄部材の先端部に蛍光灯のガラス管を把持する蛍光灯把持部を設けた構成である。したがって、作業者が柄部材を持って作業する必要があるが、先端部に設けられた蛍光灯把持部が重く、作業者が柄部材を持って交換しようとする蛍光灯のガラス管に蛍光灯把持部を押し当てることが困難であり、作業者の負担になっている。また、蛍光灯が長尺になると、蛍光灯自体の重量が増すため、いっそう蛍光灯交換作業が作業者の負担になっている。
【０００８】
本考案は、前記事情に着目してなされたもので、その目的とするところは、高所に据え付けられた蛍光灯の交換作業が安全に簡単に行なえ、作業者の負担を軽減できる直管型蛍光灯の交換器具を提供することにある。
【課題を解決するための手段】
【０００９】
本考案は、前記目的を達成するために、請求項１は、器具本体に設けられた一対のソケットに両端部の口金に設けられた口金ピンが接続された蛍光灯を、その軸方向の一方に移動させ、他方の前記口金ピンを前記ソケットから離間させて前記器具本体から蛍光灯を取り外すタイプの直管型蛍光灯の交換器具において、床面に対して立位状態に支持可能な支持脚と、この支持脚に傾倒可能に支持された伸縮可能な支柱と、この支柱の先端部に設けられ、前記蛍光灯を把持および解放可能な把持機構とからなり、前記把持機構は、蛍光灯のガラス管を弾性的に把持する円弧状のチャックを有し、このチャックの内周部には該チャックによって把持したとき前記蛍光灯のガラス管の外周面と接合する接合部材を有し、前記把持機構によって前記蛍光灯のガラス管を把持した状態で、前記支柱を傾倒させて蛍光灯を、その軸方向の一方に移動させ、他方の前記口金ピンを前記ソケットから離間させて前記器具本体から蛍光灯を取り外すことを特徴とする。
【００１０】
請求項２は、器具本体に設けられた一対のソケットに両端部の口金に設けられた口金ピンが接続された蛍光灯を、その周方向に回すことにより、前記器具本体から蛍光灯を取り外すタイプの直管型蛍光灯の交換器具において、床面に対して立位状態に支持可能な支持脚と、この支持脚に支持された伸縮可能な支柱と、この支柱の先端部に設けられ、前記蛍光灯を把持および解放可能な把持機構とからなり、前記把持機構は、蛍光灯のガラス管を弾性的に把持する円弧状のチャックを有し、このチャックの内周部には該チャックによって把持したとき前記蛍光灯のガラス管の外周面と接合する接合部材を有し、前記把持機構によって前記蛍光灯のガラス管を把持した状態で、前記把持機構を蛍光灯の周方向に回して前記口金ピンを前記ソケットから抜いて前記器具本体から蛍光灯を取り外すことを特徴とする。
【００１１】
請求項３は、請求項１または２の前記支持脚は、前記支柱を支持する支持部材と、この支持部材に上端部が着脱可能に接続される複数本の支持ポールとからなり、分解可能であることを特徴とする。
【００１２】
請求項４は、請求項１または２の前記把持機構は、板バネからなる上部開口のＵ字状のチャックであり、開口を前記蛍光灯のガラス管にあてがい、前記チャックを押し上げることにより、ガラス管を弾性的に把持し、引き下げることにより、ガラス管から解放されることを特徴とする。
【考案の効果】
【００１３】
本考案によれば、床面に対して立位状態に支持可能な支持脚に伸縮可能な支柱を設け、この支柱の先端部に蛍光灯を把持および解放可能な把持機構を設けたため、作業者の肉体的な負担を軽減でき、しかも交換しようとする蛍光灯のガラス管に把持機構を容易に位置決めでき、蛍光灯の交換作業を安全に容易に行なうことができる。
【００１４】
さらに、蛍光灯をその軸方向に移動させて取り外すタイプおよび蛍光灯をその周方向に回して取り外すタイプの両方に適用できるという効果がある。
【図面の簡単な説明】
【００１５】
【図１】本考案の実施例１を示し、直管型蛍光灯の交換器具の正面図。
【図２】同実施例１を示し、図１のＡ部の一部断面した正面図。
【図３】同実施例１を示し、図１のＢ−Ｂ線に沿う断面図。
【図４】同実施例１の把持機構を示し、（ａ）は側面図、（ｂ）は同図のＣ−Ｃ線に沿う断面図、（ｃ）は同図のＤ−Ｄ線に沿う断面図。
【図５】本考案の実施例２を示し、（ａ）（ｂ）直管型蛍光灯の交換器具の把持機構の縦断側面図。
【図６】同実施例２を示し、図５（ａ）のＥ部を拡大して示す断側図。
【考案を実施するための形態】
【００１６】
以下、本考案の実施の形態を図面に基づいて説明する。
【実施例１】
【００１７】
図１は、直管型蛍光灯器具１が高所、例えば天井２に据え付けられた状態を示し、器具本体３には一対のソケット４が互いに対向して設けられている。器具本体３には両端部の口金ピン５を有する口金６を備えた蛍光灯７が設けられている。この蛍光灯７は、口金ピン５がソケット４に接続されており、蛍光灯７を、その軸方向の一方に移動させ、他方の口金ピン５をソケット４から離間させることにより、器具本体３から蛍光灯７を取り外すことができる。
【００１８】
直管型蛍光灯の交換器具８は、床面９に対して立位状態に支持可能な支持脚１０を備えており、この支持脚１０には伸縮可能な支柱１１が鉛直状態に支持されている。支柱１１の先端部には蛍光灯７を把持および解放可能な把持機構１２が設けられている。
【００１９】
図１〜図３に基づいて支持脚１０について説明すると、円盤状に支持部材１３が設けられ、この支持部材１３には下部が開口する嵌合穴１４が周方向に等間隔（１２０°）に穿設されている。支持部材１３の側部には各嵌合穴１４に対応してロックピン穴１５が設けられ、このロックピン穴１５にはスプリング１６によって前進方向に付勢されたロックピン１７が設けられている。ロックピン１７は先端部１７ａが嵌合穴１４に対して突没可能であり、基端部には摘み部１７ｂが設けられている。
【００２０】
支持部材１３の各嵌合穴１４には支持脚１０を構成する支持ポール１８の先端部が挿脱可能であり、支持ポール１８の先端部における側部にはロックピン１７は先端部１７ａと係合する凹部１８ａが設けられている。支持ポール１８は屈曲部１８ｂを有しており、拡がりを持って床面９に対して安定した状態に支持できるようになっている。なお、３本の支持ポール１８はパイプによって形成されているが、伸縮可能として傾斜面や階段等の段差を有する部位にも鉛直状態に支持できるようにしてもよい。
【００２１】
次に、図１〜図３に基づいて支柱１１について説明すると、支持部材１３の上部には一対の軸受部材１９が突設され、この軸受部材１９には横方向に枢軸２０が貫通して設けられている。枢軸２０には支柱１１を構成する下部支柱２１に設けられた貫通孔２２が回動（傾倒）自在に嵌合され、支持部材１３に対して支柱１１が連結されている。枢軸２０には下部支柱２１に対して接合するプッシャーリング２３が嵌合され、また、枢軸２０にはプッシャーリング２３に接合するカムリング２４が嵌合されている。プッシャーリング２３とカムリング２４との接合面にはカム面２３ａ，２４ａが形成され、カムリング２４を操作レバー２５によって回動することにより、プッシャーリング２３が下部支柱２１に対して進退し、下部支柱２１を鉛直状態に固定または回動自在に切換えできるようになっている。
【００２２】
図１に示すように、支柱１１は下部支柱２１と上部支柱２６とからなり、下部支柱２１の空洞に上部支柱２６が挿入され、支柱１１は伸縮自在であり、締付リング２７によって適宜の長さに調節して固定できるようになっている。そして、上部支柱２６の上端部に前記把持機構１２が設けられている。
【００２３】
図４に基づいて把持機構１２について説明すると、上部支柱２６の上端部には支持機構２８によって複数個のチャック２９が並設されている。複数個のチャック２９の並設方向は支柱１１を指示する枢軸２０と直交する方向であり、支柱１１の傾倒方向と一致させている。チャック２９は板ばねを略Ｕ字状に湾曲した形状であり、チャック２９の両端ガイド部２９ａは開口部２９ｂを閉じる方向に弾性的に付勢されている。そして、チャック２９は蛍光灯７のガラス管３０を弾性的に把持できりようになっている。円弧状のチャック２９の内周部には該チャック２９によって把持したとき蛍光灯７のガラス管３０の外周面と接合する接合部材３１が設けられている。
【００２４】
接合部材３１は摩擦抵抗が大きいゴムまたは合成樹脂材料等の弾性層によって形成され、その内周面には周方向（ガラス管３０の軸方向と直角方向）に亘って複数のリブ３２が設けられている。したがって、チャック２９に対してガラス管３０の軸方向の移動に大きな抵抗力があり、チャック２９が横方向に移動すると、ガラス管３０も一体的に移動するように形成されている。
【００２５】
次に、前述のように構成された直管型蛍光灯の交換器具８を用いて蛍光灯７を交換する作業の手順を説明する。
【００２６】
交換しようとする蛍光灯器具１に直下の直管型蛍光灯の交換器具８を運び、床面９に対して支持脚１０を設置する。支持脚１０に鉛直方向に支持された支柱１１の先端部の把持機構１２を蛍光灯７に位置決めする。把持機構１２のチャック２９の開口部２９ｂを蛍光灯７の長手方向の略中間部に位置決めし、上部支柱２６を引き伸ばしてガラス管３０に当てがう。この状態で、上部支柱２６をさらに引き伸ばしてチャック２９をガラス管３０に対して押し上げると、チャック２９がいったん拡がった後に弾性力によって窄まり、チャック２９によってガラス管３０を把持する。チャック２９の内周面には複数のリブ３２を有する接合部材３１が設けられているため、チャック２９はガラス管３０に対して密着する。
【００２７】
この状態で、操作レバー２５を回動すると、カムの作用によってカムリング２４が回転してプッシャーリング２３に対する押圧力が弱まり、枢軸２０に対して下部支柱２１が回動自在となる。したがって、支柱１１を図１の矢印ａ方向に回動させると、ガラス管３０を把持したチャック２９は矢印ｂ方向に移動する。ガラス管３０が軸方向の一方に移動すると、他方の口金ピン５がソケット４から離間し、口金ピン５とソケット４との接続が解除される。この状態で、上部支柱２６を引き下げると、矢印ｃ方向に器具本体３から蛍光灯７を取り外すことができる。
【００２８】
なお、支柱１１の長さを調整してチャック２９をガラス管３０に把持させ、また器具本体３から蛍光灯７を取り外すようにしたが、支持脚１０を移動させながら同様な操作を行ってもよい。また、新しい蛍光灯７をチャック２９に把持し、蛍光灯７を取り外す手順と逆に操作することにより、新しい蛍光灯７を器具本体３に取り付けることができる。
【００２９】
したがって、従来のように脚立を用い、作業者が脚立に乗って作業する必要がなく、安全性が図られる。また、支持脚１０は複数本の支持ポール１８が支持部材１３に対して着脱可能であるため、分解して持ち運びでき、嵩張ることはなく、保管、運搬に便利である。
【実施例２】
【００３０】
本実施例は、図５および図６に示すように、器具本体３に設けられた一対のソケット４に、蛍光灯７の両端部の口金６に設けられた口金ピン５が接続され、蛍光灯７をその周方向に回すことにより、器具本体３から蛍光灯７を取り外すタイプの直管型蛍光灯の交換器具４０であり、実施例１と同一構成部分は同一番号を付して説明を省略する。
【００３１】
蛍光灯７を把持および解放可能な把持機構４１を構成する円弧状のチャック４２の内周部には該チャック４２によって把持したとき蛍光灯７のガラス管３０の外周面と接合する接合部材４３が設けられている。接合部材４３は摩擦抵抗が大きいゴムまたは合成樹脂材料等の弾性層によって形成され、その内周面には軸方向（ガラス管３０の軸方向と平行）に亘って複数のリブ４４が設けられている。したがって、チャック４２に対してガラス管３０の周方向の回転に大きな抵抗力があり、チャック４２が周向に回すと、ガラス管３０も一体的に移動するように形成されている。
【００３２】
さらに、チャック４２は円弧状の支持板４５によって周方向に回動自在に支持されており、チャック４２の下部には支持板４５のガイド孔４６に沿って移動自在な連結部材４７が突設されている。一方、上部支柱２６の側部にはガイドリング４８が設けられ、ガイドリング４８には可撓性を有する操作ロッド４９が上下動自在に支持されている。操作ロッド４９は湾曲して連結アーム５０を介して連結部材４７に回動自在に連結され、操作ロッド４９のグリップ５１を持って上下動させることにより、チャック４２は円弧状の支持板４５に支持されて周方向に回動するようになっている。
【００３３】
次に、前述のように構成された直管型蛍光灯の交換器具４０を用いて蛍光灯７を交換する作業の手順を説明する。
【００３４】
交換しようとする蛍光灯器具１に直下の直管型蛍光灯の交換器具４０を運び、床面９に対して支持脚１０を設置する。支持脚１０に鉛直方向に支持された支柱１１の先端部の把持機構４１を蛍光灯７に位置決めする。把持機構４１のチャック４２の開口部４２ｂを蛍光灯７の長手方向の略中間部に位置決めし、上部支柱２６を引き伸ばしてガラス管３０に当てがう。この状態で、上部支柱２６をさらに引き伸ばしてチャック４２をガラス管３０に対して押し上げると、チャック４２がいったん拡がった後に弾性力によって窄まり、チャック４２によってガラス管３０を把持する。チャック４２の内周面には複数のリブ４４を有する接合部材４３が設けられているため、チャック４２はガラス管３０に対して密着する。
【００３５】
したがって、グリップ５１を持って操作ロッド４９を押し上げると、連結アーム５０、連結部材４７を介してチャック４２に周方向に回動する力が伝達され、ガラス管３０を把持したチャック４２が矢印ｄ方向に移動する。ガラス管３０が矢印ｅ方向の回動すると、両端部の口金ピン５が周方向に回動してソケット４との係合が解除される。この状態で、上部支柱２６を引き下げると、器具本体３から蛍光灯７を取り外すことができる。また、新しい蛍光灯７をチャック４２に把持し、蛍光灯７を取り外す手順と逆に操作することにより、新しい蛍光灯７を器具本体３に取り付けることができる。
【００３６】
したがって、従来のように脚立を用い、作業者が脚立に乗って作業する必要がなく、安全性が図られる。また、支持脚１０は複数本の支持ポール１８が支持部材１３に対して着脱可能であるため、分解して持ち運びでき、嵩張ることはなく、保管、運搬に便利である。
【００３７】
なお、実施例１，２において、把持機構として、板ばねからなる円弧状のチャックを用いたが、一対の円弧状の把持片を回動自在に設け、把持片を手元操作部によって開閉して蛍光灯のガラス管を把持するようにしてもよい。
【００３８】
なお、本考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【産業上の利用可能性】
【００３９】
本考案の直管型蛍光灯の交換器具は、マンションやホテルのロビー、ホール、駅の天井等の比較的高所に据付けられた大小異なるサイズの直管型蛍光灯を交換する交換器具として利用できる。
【符号の説明】
【００４０】
１…直管型交換器具、３…器具本体、７…蛍光灯、１０…支持脚、１１…支柱、１２…把持機構、１３…支持部材、１８…支持ポール、２９…チャック、３０…ガラス管
【図１】
0003150848.tif 000003
【図２】
0003150848.tif 000004
【図３】
0003150848.tif 000005
【図４】
0003150848.tif 000006
【図５】
0003150848.tif 000007
【図６】
0003150848.tif 000008